(57)【要約】【課題】少なくとも一個の照明器具が複数のグループに割り付けられた場合でも、グループ毎の実質的な消費電力量を求めること。【解決手段】照明制御システム１は、受信した照明器具ＳＬの制御情報に基づいて制御データを生成して伝送ラインを４介して接続された照明器具ＳＬを制御する照明親機Ｏと；前記照明親機Ｏに接続され、各照明器具ＳＬのアドレスのうち少なくとも１個のアドレスが複数のグループに割り付けられるように、各照明器具ＳＬのアドレスとグループとが設定された割り付け情報テーブルと、グループ毎のオン／オフ情報を示すオン／オフ情報テーブルとを記憶する記憶部を有し、前記割り付け情報テーブルと前記オン／オフ情報テーブルとに基づいて、複数のグループに重複して割り付けられた照明器具ＳＬを含むグループの実質的な消費電力量を演算する遠隔監視システムサーバ２と；を有している。【選択図】図１
2012186078.tif 000002
【特許請求の範囲】
【請求項１】
それぞれアドレスが設定された複数の照明器具を伝送ラインを介して制御する照明親機と；
前記照明親機に接続され、各照明器具のアドレスのうち少なくとも１個のアドレスが複数のグループに割り付けられるように、各照明器具のアドレスとグループとが設定された割り付け情報テーブルと、グループ毎のオン／オフ情報を示すオン／オフ情報テーブルとを記憶する記憶部を有し、前記割り付け情報テーブルと前記オン／オフ情報テーブルとに基づいて、複数のグループに重複して割り付けられた照明器具を含むグループの実質的な消費電力量を演算する遠隔監視システムサーバと；
を具備したことを特徴とする照明制御システム。
【請求項２】
前記遠隔監視システムサーバは、複数のグループに割り付けられた照明器具の消費電力量を、この照明器具が割り付けられたグループのうち同時にオン状態となっているグループ数で割り、この照明器具の１グループあたりの消費電力量を演算することで、複数のグループに重複して割り付けられた照明器具を含むグループの実質的な消費電力量を演算することを特徴とする請求項１に記載の照明制御システム。
【請求項３】
前記遠隔システムサーバは、ネットワークを介して受信した信号に基づいて、前記記憶部の前記割り付け情報テーブルをユーザ毎のグループに設定あるいは変更可能とすることを特徴とする請求項１または２に記載の照明制御システム。
【発明の詳細な説明】
【技術分野】
【０００１】
本発明の実施形態は、例えば、建物内の天井面に配設された複数の照明器具を遠隔制御する照明制御システムに関する。
【背景技術】
【０００２】
従来、例えば、オフィスビルや各種施設などでは、各フロアや各エリアなどの照明エリア毎に設置される照明器具などの照明負荷を遠隔制御する照明制御システムが採用されている。
【０００３】
このような照明制御システムには、照明制御装置である照明親機に伝送ラインを介して複数の照明用機器が通信可能に接続され、各照明用機器は照明親機からの制御信号によって制御されるものがある。そして、照明親機と複数の照明用機器とが伝送ラインを介して通信することにより、照明親機は、照明用機器を統合的に管理することができるようになっている。
【０００４】
照明制御システムに接続される照明用機器は、固有のアドレスが割り付けられている。そして、照明制御システムは、例えば、グループ毎の照明器具を夫々遠隔操作するために、予め各照明器具のアドレスをグループ毎に割り付けて設定された割り付け情報を有している。
【０００５】
また、照明制御システムは、該照明制御システムの省エネルギを図るために、各照明器具の点滅及び調光の状態から各照明器具の消費電力を算出し、この各照明器具の消費電力量からグループ毎の照明器具の消費電力量を演算して表示するようにしている。
【先行技術文献】
【特許文献】
【０００６】
【特許文献１】特開２００３−１９７３８２号公報
【発明の概要】
【発明が解決しようとする課題】
【０００７】
一方で、従来の照明制御システムでは、例えば、予め各照明器具のアドレスをグループ毎に割り付けて設定された割り付け情報を、ユーザ毎に自由に変更して設定することができなかった。すなわち、少なくとも一個の照明器具が複数のグループに割り付けられることは想定されていなかった。このため、照明制御システムの省エネルギの期待が高まっており、消費電力量を演算する要望があるものの、ユーザ毎に自由にアドレスをグループ毎に割り付けて設定する場合について消費電力量をいかに演算するかという点については十分考慮されていない。
【０００８】
そこで、本実施形態は前記問題点に鑑みてなされたもので、少なくとも一個の照明器具が複数のグループに割り付けられた場合でも、グループ毎の実質的な消費電力量を求めることができる照明制御システムを提供することを目的とする。
【課題を解決するための手段】
【０００９】
実施形態の照明制御システムは、伝送ラインを介して伝送された制御データに基づき照明器具を制御する複数の端末器と前記伝送ラインを介して通信を行うことにより前記複数の端末器を制御するもので、受信した照明器具の制御情報に基づいて前記制御データを生成して伝送ラインを介して接続された照明器具を制御する照明親機と；前記照明親機に接続され、各照明器具のアドレスをユーザ毎のグループに割り付けて設定された割り付け情報テーブルと、グループ毎の各照明器具のアドレスに応じたオン／オフ情報のオン／オフ情報テーブルとを記憶する記憶部を有し、前記割り付け情報テーブルと前記オン／オフ情報テーブルとに基づいて、ユーザ毎の複数のグループに重複して割り付けられた少なくとも１個の照明器具を含む前記複数のグループの各照明器具の消費電力量を演算する遠隔監視システムサーバと；を具備している。
【発明の効果】
【００１０】
本発明の照明制御システムによれば、少なくとも一個の照明器具が複数のグループに割り付けられて重複した場合でも、グループ毎の消費電力量を求めることができる。
【図面の簡単な説明】
【００１１】
【図１】実施形態に係る照明制御システムの全体構成を示す構成図。
【図２】図１の照明制御システムにおける照明器具がグループ毎に割り付けられた構成例を説明するためのフロアの平面図。
【図３】図１の遠隔監視システムサーバ内のＲＯＭに格納されている割り付け情報テーブルを説明する説明図。
【図４】図１の遠隔監視システムサーバ内のＲＯＭに格納されているON／OFF情報テーブルを説明する説明図。
【図５】図２のグループ毎に割り付けられた各照明器具の点灯／消灯時間の一例を示すタイミングチャート。
【図６】図１の遠隔監視システムサーバのＣＰＵによる１個の照明器具の消費電力量算出時の制御例を示すフローチャート。
【発明を実施するための最良の形態】
【００１２】
実施形態の照明制御システムは、伝送ラインを介して伝送された制御データに基づき照明器具を制御する複数の端末器と前記伝送ラインを介して通信を行うことにより前記複数の端末器を制御するもので、受信した照明器具の制御情報に基づいて前記制御データを生成して伝送ラインを介して接続された照明器具を制御する照明親機と；前記照明親機に接続され、各照明器具のアドレスをユーザ毎のグループに割り付けて設定された割り付けオン／オフ情報テーブルと、グループ毎の各照明器具のアドレスに応じたオン／オフ情報のオン／オフ情報テーブルとを記憶する記憶部を有し、前記割り付けオン／オフ情報テーブルと前記オン／オフ情報テーブルとに基づいて、ユーザ毎の複数のグループに重複して割り付けられた少なくとも１個の照明器具を含む前記複数のグループの各照明器具の消費電力量を演算する遠隔監視システムサーバと；を具備している。
【００１３】
以下の実施形態において、特に限定しない限り、用語の定義及び技術的意味は次による。
【００１４】
照明器具は、例えば、ＬＥＤを光源として用いた照明器具であるが、これに限定されるものではない。但し、光源の応答速度を考慮すると、光源が通常のランプよりもＬＥＤを光源として用いた照明器具であれば、数多くの照明器具を設置した場合でも、迅速に点消灯、調光制御することができるので有効である。
【００１５】
各照明器具は、固有のアドレスが設定されており、照明親機はこのアドレスを用いて照明器具を制御する。
【００１６】
端末器は、例えば、複数の照明器具を制御する制御端末器であるが、これに限定されるものではなく、その他、明るさセンサ、人感センサ等のセンサ端末器等も含む。この制御端末器は、例えば４回路の照明器具が接続可能で構成されるが、これに限定されるものではなく、例えば８回路の照明器具が接続可能に構成されていても良い。
【００１７】
また、端末器は、制御データ等を有線で伝送する有線伝送式のコントローラで構成するが、例えば、制御信号を無線で伝送する無線伝送式のコントーラで構成しても良い。
【００１８】
照明親機は、ハブを介して有線で遠隔監視システムサーバに接続される有線伝送式の制御装置で構成するが、例えば、制御信号を無線で伝送する無線伝送式の制御装置で構成しても良い。
【００１９】
割り付け情報テーブルは、各照明器具のアドレスをグループ毎に割り付けて設定されたテーブルであるが、これに限定されるものではない。例えば、割り付け情報テーブルは、一以上の照明器具をまとめてグループとし、このグループ毎の各照明器具のアドレスに応じた点灯開始時間／消灯時間等のオン／オフ情報のオン／オフ情報テーブルと、ユーザ毎に積算された各グループの照明器具の積算消費電力量のオン／オフ情報テーブルとを備えて構成しても良い。
【００２０】
また、グループ毎に積算された各グループの照明器具の積算消費電力量のデータは、例えば、一日毎、一週間毎、又は一月毎に積算されたものであり、必要に応じて適宜設定すれば良い。また、前記積算消費電力量のデータは、遠隔監視システムサーバの前記割り付け情報テーブルに一旦格納されるが、適宜ユーザのパーソナルコンピュータに出力して表示したり、あるいは必要に応じてユーザのパーソナルコンピュータによる読み出し制御によって読み出すように構成しても良い。このことにより、省エネルギに必要な情報が得られる。
【００２１】
また、割り付け情報テーブルは、ユーザがパソコン端末等の情報端末によって個々に設定することができる。従って、１つの照明器具が複数のグループに割り付け設定される。
【００２２】
実質的な消費電力量とは、対象となるグループに実質的に寄与している照明器具の消費電力量を考慮した量を意味する。すなわち、消費電力量を各グループ毎に管理する場合、一つの照明器具が複数のグループに割り付けられているときは、この複数のグループが同時に点灯状態であれば当該一つの照明器具の消費電力量は個々のグループに割り振られて演算されることになる。
【００２３】
また、実施形態の照明制御システムの遠隔監視システムサーバは、ネットワークを介して受信した信号に基づいて、前記記憶部の前記割り付けオン／オフ情報テーブルをユーザ毎のグループに設定あるいは変更可能とする。  
遠隔監視システムサーバには、外部から供給された信号、例えば、インターネットやイントラネットを介してユーザ毎に設置されたパーソナルコンピュータからの指示信号が供給されるが、これに限定されるものではない。  
このような構成により、ユーザ毎のグループに設定あるいは変更した場合でも、前記複数のグループの消費電力量を算出することができる。
【００２４】
さらに、実施形態の照明制御システムの遠隔監視システムサーバは、１個の照明器具の消費電力量を、前記１個の照明器具が重複して割り付けられたグループ数で割る演算を行うことにより、前記複数のグループに重複して割り付けられた場合の１個の照明器具の消費電力量を算出する。  
このような構成により、１個の照明器具が複数のグループに重複して割り付けられた場合であっても、１個の照明器具の正確な消費電力量を算出することができ、ひいては、この１個の照明器具の消費電力量に、このグループ内の他の照明器具の消費電力量を加算することにより、グループの照明器具の積算消費電力量を算出することができる。
【００２５】
（実施の形態）
図１は、本実施形態に係る照明制御システムの全体構成を示す構成図である。  
図１に示す照明制御システム１は、遠隔監視システムサーバ２と、ハブ３と、複数の照明親機Ｏ１〜Ｏｎ（ｎは整数）とを有して構成される。
【００２６】
遠隔監視システムサーバ（以下、システムサーバと記載）２には、インターネット又はイントラネット等のネットワーク１１を介して、ユーザ毎に設けられたクライアント端末器であるパーソナルコンピュータＰ１…Ｐｍ（ｍは整数）が接続される。  
なお、システムサーバ２は、例えば、オフィスビルや各種施設に１個設けているが、必要に応じて複数個配設しても良い。
【００２７】
また、このシステムサーバ２には、ハブ３を介して複数の照明親機Ｏ１…Ｏｎ（ｎは整数）が接続される。
【００２８】
照明親機Ｏは、例えば、オフィスビルや各種施設などの各フロアや各エリアなどの照明エリア毎に設置される照明器具ＳＬを遠隔制御する中央処理装置として構成される。
【００２９】
この照明親機Ｏには、伝送線（以下、伝送ラインと称す）４を介して後述する複数の制御端末器Ｓ１、Ｓ２、Ｓ３…Ｓｋ（ｋは整数）、壁スイッチ５、ワイヤレス受信器６、７、人感センサ８等が接続される。また、ワイヤレス受信器６に対して赤外線で信号を送信するワイヤレス送信器９から、ワイヤレス受信器７に対して赤外線で信号を送受するワイヤレス送受信器１０から、それぞれ操作信号が送信される。なお、制御端末器Ｓは、図示はしないがセンサ端末器も含む。
【００３０】
複数の制御端末器Ｓ、壁スイッチ５、ワイヤレス受信器６、７、人感センサ８、ワイヤレス送信器９、及びワイヤレス送受信器１０は、伝送ライン４に接続される照明用機器を構成し、これら複数の照明用機器は、伝送ライン４を介して照明親機Ｏによって制御される。  
そして、前記制御端末器Ｓは、伝送ライン４を介して照明親機Ｏに接続されて、対応する照明器具を制御することができる。
【００３１】
なお、制御端末器Ｓに接続される照明器具には、リレー回路（以下、リレーという）によりオン／オフされる照明器具が含まれる。
【００３２】
壁スイッチ５は、各照明器具又は複数の照明器具の集合であるグループに対応したオン、オフスイッチまたは調光、調色スイッチを有しており、ユーザのスイッチ操作に基づいて、対応する照明器具又は複数の照明器具からなるグループを例えばオンにするかオフにするかのオンオフ制御等の制御信号を照明親機Ｏに出力する。
【００３３】
複数の制御端末器Ｓ１、Ｓ２、Ｓ３、…Ｓｋは、例えば４回路の照明器具がそれぞれ接続可能であり、このような複数の制御端末器Ｓ１、Ｓ２、Ｓ３、…Ｓｎが伝送ライン４に接続されている。照明器具としては、例えば、ランプや発光ダイオード（ＬＥＤ）などの光源を用いた照明器具が用いられている。
【００３４】
また、リレーが設けられた構成では、このリレーは、接続された複数の照明器具に対して点灯及び消灯制御を行うものであり、照明親機Ｏから照明制御信号を受信することによって対応する照明器具の点灯及び消灯を行うものである。
【００３５】
ワイヤレス受信器６は、ワイヤレス送信器９から送信される赤外線信号を受信する。このワイヤレス受信器６は、伝送ライン４に接続可能とする伝送インタフェ−スを有し、その伝送インタフェ−スを介して伝送ライン４に接続される。また、このワイヤレス受信器６には、ワイヤレス受信器６のアドレスデ−タを記憶するアドレス設定部、赤外線を受信する赤外線受信ユニットが設けられている。尚、ワイヤレス受信器６は、赤外線を送信可能とするための赤外線送信ユニットを有している。
【００３６】
ワイヤレス受信器７は、ワイヤレス送受信器１０から送信される赤外線信号を受信する。このワイヤレス受信器７は、伝送ライン４に接続可能とする伝送インタフェ−スを有し、その伝送インタフェ−スを介して伝送ライン４に接続される。また、このワイヤレス受信器７には、ワイヤレス受信器７のアドレスデ−タを記憶するアドレス設定部、赤外線を受信する赤外線受信ユニットが設けられている。尚、ワイヤレス受信器７は、ワイヤレス送受信器１０へ、赤外線を送信可能とするための赤外線送信ユニットを有している。
【００３７】
ワイヤレス送信器９は、照明器具の点灯／消灯情報を例えば、赤外線でワイヤレス受信器６に送信する。このワイヤレス送信器９は、照明制御情報を赤外線で送信する赤外線送信部、ワイヤレス送信器９のアドレスデ−タを記憶するメモリ等を有して構成されている。
【００３８】
ワイヤレス送受信器１０は、照明器具の点灯、消灯情報等をワイヤレス受信器７との間で赤外線により送受信するための端末器である。このワイヤレス送受信器１０は、赤外線を送信する赤外線送信部、赤外線を受信する赤外線受信部、照明器具を点灯、消灯制御するための操作ボタン、ワイヤレス送信器９のアドレスデ−タを記憶するメモリを有して構成されている。
【００３９】
人感センサ８は、人の存在を検知して照明器具を点灯制御するためのセンサ端末器である。この人感センサ８は、伝送インタフェ−スを介して伝送ライン４に接続される。さらに、この人感センサ８は、人の存在を人から放射される赤外線を検知する赤外線検出部、人感センサ８のアドレスデ−タを記憶するメモリを有して構成されている。
【００４０】
また、人感センサ８以外にも、図示はしないが伝送インタフェ−スを介して伝送ライン４に他のセンサ端末器が接続される。他のセンサ端末器は、例えば、机上面の照度を一定制御するために照明器具を調光制御するための端末器であり、光を検出するセンサ部、表示部、センサ端末器のアドレスデ−タを記憶するメモリを有している。
【００４１】
なお、本実施形態の照明制御システムでは、一個の照明親機Ｏに接続される、複数の制御端末器Ｓ、壁スイッチ５、ワイヤレス受信器６、７、人感センサ８、ワイヤレス送信器９、及びワイヤレス送受信器１０等の照明用機器群を一個のグループ（例えばグループGr１）として構成している。すなわち、照明用機器群のグループは、照明親機Ｏｎの数だけ設けられる。この場合、各照明用機器及び照明器具ＳＬには、固有のアドレスが割り付けられている。
【００４２】
このような照明制御システム１では、照明親機Ｏと複数の照明用機器とが伝送ライン４を介して通信することにより、照明親機Ｏは、照明器具を統合的に管理して、複数の制御端末器Ｓ１、Ｓ２、Ｓ３、…Ｓｋに接続された照明器具の点灯及び消灯制御、調光制御が可能である。
【００４３】
また、各照明親機Ｏは、システムサーバ２から送信される照明器具の制御情報を受信した場合には、制御情報に基づいて照明器具ＳＬの点灯及び消灯制御、調光制御するための制御データを生成して該当の照明器具の点灯及び消灯または調光制御を行うことが可能である。
【００４４】
なお、照明器具SLは端末器と一体的に構成し直接伝送ライン４に接続してもよいが、いずれの構成においても照明親機Oは、伝送ライン４を介して照明器具SLを制御する。
【００４５】
また、システムサーバ２は、前記照明親機Ｏに接続され、各照明器具ＳＬのアドレスをユーザ毎のグループに割り付けて設定された割り付けオン／オフ情報テーブルと、グループ毎の各照明器具ＳＬのオンオフ状態を示すオン／オフ情報のオン／オフ情報テーブルとを記憶したＲＯＭ２ｂを有し、インターネットあるいはイントラネットなどのネットワーク１１を介して供給された信号に基づいて、前記ＲＯＭ２ｂ内の前記割り付け情報テーブルをユーザ毎に変更するとともに、変更した割り付け情報テーブルの各照明器具ＳＬのオン／オフ情報を前記照明親機Ｏに送信する制御を行う。
【００４６】
また、システムサーバ２は、前記割り付け情報テーブルと前記オン／オフ情報テーブルとに基づいて、複数のグループに重複して割り付けられた照明器具ＳＬを含むグループの実質的な消費電力量を演算する。
【００４７】
次に、本実施形態の照明制御システムの具体的な構成について図２〜図５を参照しながら説明する。  
図２は、図１の照明制御システムにおける照明器具がユーザ毎のグループに割り付けられた構成例を説明するためのフロアの平面図、図３は、図１の遠隔監視システムサーバ内のＲＯＭに格納されている割り付け情報テーブルを説明する説明図、図４は、図１の遠隔監視システムサーバ内のＲＯＭに格納されているオン／オフ情報テーブルを説明する説明図、図５は、図２のグループ毎に割り付けられた各照明器具の点灯／消灯時間の一例を示すタイミングチャートである。
【００４８】
図２に示すフロア５０の天井には、例えば、照明親機Ｏ１に接続されたグループGr１〜３を構成する複数の照明器具ＳＬが配設されている。このレイアウトでは、例えば、アドレス＃１の照明器具ＳＬからアドレス＃２６までの照明器具ＳＬが設けられ、これらの照明器具ＳＬは、図中に示す縦方向に５個、横方向に１列配設され、さらにこの列に並び、図中に示す縦方向に７個、横方向に３列配設されている。
【００４９】
また、各アドレス＃の照明器具ＳＬ毎の下側近傍には、例えば、ユーザＵ毎に設けられた、ネットワーク１１に接続されるパーソナルコンピュータＰ１〜Ｐｍがそれぞれ配設されている。
【００５０】
ここで、図２に示すような照明器具ＳＬのレイアウトである場合に、ユーザＵ１が、所望する照明エリアに応じたアドレス＃１〜１５の各照明器具ＳＬをグループＧｒ１に設定するものとする。ユーザＵ１は、アドレス＃２の照明器具ＳＬの近傍に位置しており、周囲の照明器具ＳＬも含めて点灯させたい場合を想定する。
【００５１】
この場合、ユーザＵ１は、パーソナルコンピュータＰ１内に設けられた例えばブラウザ機能を実行させて、モニタ２０の画面上に設定／変更画面を表示させ、この設定／変更画面を操作することにより、所望する照明エリア内のアドレス＃の各照明器具ＳＬをグループGr１として指定する。
【００５２】
すると、パーソナルコンピュータＰ１は、ユーザにより図示しない入力ウィンドウを介して入力したユーザＩＤと、グループGrと、さらに設定／変更画面により指定された照明器具ＳＬのアドレス＃（図３では、アドレス＃１〜１５）との各情報を示す指示信号を、ネットワーク１１を介してシステムサーバ２に送信する。  
このような操作により、ユーザ毎のグループGrに応じた所望のアドレス＃の照明器具ＳＬを選択設定し、或いは変更設定することができる。
【００５３】
なお、図２中には、さらにユーザＵ２が所望する照明エリアに応じたグループGr２と、ユーザＵ３が所望する照明エリアに応じたグループGr３とが示されている。このグループGr２は、例えば、アドレス＃１１〜２０の各照明器具ＳＬを指定している。また、グループGr３は、例えば、アドレス＃１１、２１〜２６の各照明器具ＳＬを指定している。
【００５４】
システムサーバ２は、当該システム全体を制御するＣＰＵ２ａと、各プログラムを実行する作業領域であるＲＡＭ２ｂと、前記割り付け情報テーブル及びオン／オフ情報テーブルを格納したＲＯＭ２ｃとを有している。
【００５５】
ＲＯＭ２ｃは、ＣＰＵ２ａにより実行されるプログラム、照明親機Ｏに接続される制御端末器Ｓ、照明器具ＳＬとの対応関係（割り付け）情報、アドレス＃及び各グループGrの照明器具ＳＬの消費電力量等を記憶する記憶領域を構成する。
【００５６】
また、ＲＯＭ２ｃに格納された割り付け情報テーブル、オン／オフ情報テーブルを図３及び図４に示す。  
割り付け情報テーブルは、各照明器具ＳＬのアドレス＃をユーザ毎のグループGrに割り付けて設定されたテーブルである。  
この割り付け情報テーブルは、例えば、図３に示すように、各グループGrに対して設定された照明器具ＳＬのアドレス＃と、このアドレス＃の照明器具ＳＬが割り付けられたユーザ毎のグループGrとを含む。
【００５７】
図３において、ユーザＵ１〜Ｕ３により例えば図２に示すように複数の照明器具ＳＬがグループGr１〜３に割り付けられたとすると、アドレス＃１〜１５の照明器具ＳＬはグループGr１に属し、アドレス＃１１〜２０の照明器具ＳＬはグループGr２に属し、さらに、アドレス＃１１、２１〜２６の照明器具ＳＬはグループGr３に属することを示している。
【００５８】
なお、この場合、アドレス＃１２〜１５の照明器具ＳＬは、グループGr１とグループGr２に重複するように割り付けられており、アドレス＃１１の照明器具ＳＬは、グループGr１〜Gr３の全てのグループGrに重複するように割り付けられている。
【００５９】
また、オン／オフ情報テーブルは、図４に示すように、例えば、グループGr毎の点灯開始時間／消灯時間等のオン／オフ情報を示すデータを含む。  
図４において、このオン／オフ情報テーブルは、グループGr１の各照明器具ＳＬが８時にオン（点灯開始）して、１３時にオフ（消灯）したオン／オフ状態を示し、また、グループGr２の各照明器具ＳＬが１０時にオン（点灯開始）して、１６時にオフ（消灯）したオン／オフ状態を示している。さらに、グループGr３の各照明器具ＳＬが１７時にオン（点灯開始）して、１９時にオフ（消灯）したオン／オフ状態を示している。
【００６０】
なお、図示はしないが、前記オン／オフ情報テーブルは、積算された各グループの照明器具の積算消費電力量のデータを含むものであっても良いし、あるいは前記オン／オフ情報テーブル以外に、ユーザ毎に積算された照明器具の積算消費電力量のオン／オフ情報テーブルを設けて構成しても良い。
【００６１】
図４に示すグループ毎の照明器具のオン／オフ状態をタイミングチャートで示すと、図５に示すものとなる。この図５に示す動作例では、グループGr１の照明器具ＳＬとグループGr２の照明器具ＳＬとのオン時間が、時刻ｔ２から時刻ｔ３までの期間Ｔ２にて重なり、また、グループGr２の照明器具ＳＬとグループGr３の照明器具ＳＬとのオン時間が、時刻ｔ４から時刻ｔ５までの期間Ｔ４にて重なっている。
【００６２】
すなわち、図２及び図３に示すように、アドレス＃１２〜１５の照明器具ＳＬがグループGr１とグループGr２とに重複しており、アドレス＃１１の照明器具ＳＬがグループGr１〜３に重複しているので、各グループの照明器具の実質的な消費電力量を求めるためには、これらの重複する照明器具ＳＬに対する消費電力量を正確に演算することが必要である。
【００６３】
そこで、本実施形態の照明制御システム１は、少なくとも一個の照明器具が複数のグループに割り付けられて重複した場合でも、グループ毎の照明器具の消費電力量を正確に求めるための演算制御を行う。
【００６４】
次に、このような本実施の形態の照明制御システムの作用について図６を用いて説明する。図６は、図１の遠隔監視システムサーバのＣＰＵによる１個の照明器具の消費電力量算出時の制御例を示すフローチャートである。
【００６５】
なお、本実施形態の照明制御システム１において、図３に示すように、予めユーザによりパーソナルコンピュータＰを用いて割り付け情報テーブルの設定／変更がなされており、つまり、複数の照明器具ＳＬが各グループGrに割り付けられているものとし、以下の説明はグループGr１について消費電力量を求める場合について説明する。
【００６６】
本実施形態の照明制御システム１において、システムサーバ２のＣＰＵ２ａは、予め設定された時間、あるいはユーザのパーソナルコンピュータＰからの実行指示があった場合に、図６に示す処理を実行するプログラムを実行する。  
ＣＰＵ２ａは、ステップＳ１の処理により、消費電力量を求めるグループGr１に属する照明器具SLのアドレス＃１〜＃１５、およびこの照明器具SLのうち重複して割り付けられたアドレスが存在する他のグループGr2、Gr3を、図３に示す割り付け情報テーブルを用いて検出し、処理をステップ２に移行する。
【００６７】
ステップＳ２の処理では、ＣＰＵ２ａは、消費電力量を求めるグループGr1及びその他のグループGr2,Gr３の指定された日付の０時〜２４時の間のオン／オフ情報、すなわち、オン時間（点灯開始時間）とオフ時間（消灯時間）を、図４に示すオン／オフ情報テーブルを用いて昇順にデータを抽出する。なお、以下の演算では消費電力量を演算するグループGr１に割付られた一つの照明器具毎に演算を行うため、ここでは、演算を行う任意の照明器具SLのアドレス＃が割り付けられたグループGrのオン／オフ情報のみのデータを抽出している。例えばアドレス＃１〜＃１０の照明器具SLの場合にはグループGr1、アドレス＃１１の照明器具SLの場合はグループGr1~3、＃１２〜＃１５の照明器具SLの場合にはグループGr１、２のオン／オフ情報のデータを抽出している。
【００６８】
その後、ＣＰＵ２ａは、続くステップＳ３の処理により、抽出したデータのうち取得していない先頭のオン／オフ情報、すなわち、オン時間（点灯開始時間）／オフ時間（消灯時間）（以下、前の時刻という）を取得する。
【００６９】
そして、ＣＰＵ２ａは、続くステップＳ４の処理にて、現在の変数ＹPを１として、処理をステップＳ５に移行する。ここで現在の変数YPとは、一つの照明器具SLについて、割り付けが重複し、かつ同時刻において重複して点灯しているグループ数を示す値である。
【００７０】
ステップＳ５の処理では、ＣＰＵ２ａは、さらに、取得していないオン／オフ情報、すなわち、オン時間（点灯開始時間）またはオフ時間（消灯時間）（以下、現在の時刻という）を取得し、処理をステップＳ６の判断処理に移行する。
【００７１】
ステップＳ６の判断処理では、ＣＰＵ２ａは、取得したオン／オフ情報がオン情報であるか否かを判断し、オン情報である場合には処理をステップＳ７に移行し、オフ情報である場合には処理をステップＳ８に移行する。
【００７２】
取得したオン／オフ情報がオン情報である場合には、ステップＳ７の処理にて、割り付けが重複するグループ数の次の変数ＹAを、現在の変数ＹPに１を加算したものとして設定し、処理をステップＳ９に移行する。
【００７３】
一方、取得したオン／オフ情報がオフ情報である場合には、ステップＳ８の処理にて、割り付けが重複するグループ数の次の変数ＹAを、現在の変数ＹPから１を減算したものとして設定し、処理をステップＳ９に移行する。  
本実施形態において、ＣＰＵ２ａは、１個の照明器具ＳＬの消費電力量を、前記１個の照明器具ＳＬが重複して割り付けられ、かつ、点灯しているグループ数で割る演算を行うことにより、前記複数のグループに割り付けられた１個の照明器具ＳＬの消費電力量を算出する。
【００７４】
このため、重複して割り付けられ、かつ、同時に点灯しているグループの数に応じて、現在の変数ＹPを変えなければならない。したがって、本実施形態では、前記ステップＳ７及びステップＳ８の処理により、各グループのオン／オフ状態に応じた、正しい現在の変数ＹPを求めている。
【００７５】
例えば、図５において、時刻ｔ１から時刻ｔ２までの期間Ｔ１の間では、現在の変数Ｙｐが１となる。また、時刻ｔ２から時刻ｔ３までの期間Ｔ２の間では、現在の変数Ｙｐが２となる。また、時刻ｔ３から時刻ｔ４までの期間Ｔ３の間では、現在の変数Ｙｐが１となり、さらに、時刻ｔ４から時刻ｔ５までの期間Ｔ４の間では、現在の変数Ｙｐが２となる。同様に時刻ｔ５から時刻ｔ６までの期間Ｔ５の間では、現在の変数Ｙｐが１となる。  
次に、ＣＰＵ２ａは、ステップＳ９の処理により、現在の時刻と前の時刻との間の時間（期間）Ｔを算出し、処理をステップＳ１０に移行する。
【００７６】
ステップＳ１０の処理では、１個の照明器具ＳＬの消費電力をＡ［Ｗ］とすると、ＣＰＵ２ａは、前記ステップＳ９の処理で得られた時間Ｔに、Ａ［Ｗ］を乗じて、前記１個の照明器具ＳＬの消費電力量を算出する。
【００７７】
その後、ＣＰＵ２ａは、続くステップＳ１１の処理により、前記ステップＳ１０により得られた１個の照明器具ＳＬの消費電力量（Ｔ×Ａ［Ｗ］）を、現在の変数Ｙｐで割る演算を行う。
【００７８】
この演算を行うことにより、一個の照明器具が複数のグループに割り付けられていても、グループ毎に算出した消費電力量の総和が、照明器具毎に算出した消費電力量の総和よりも大きくなることはなく、グループに応じて最適で且つ正確な消費電力量を算出することができる。
【００７９】
次に、続くステップS１２の判断処理で、ＣＰＵ２ａは抽出したオン時間（点灯開始時間）とオフ時間（消灯時間）を全て取得したか否かを判断する。取得していないデータがある場合には処理をステップS１３へ移行し、取得していないデータがない場合には処理をステップS１４へ移行する。
【００８０】
ステップＳ１３の処理で、ＣＰＵ２ａは、次の変数ＹAを、現在の変数ＹPに設定し、現在の時刻を前の時刻にした後、処理をステップＳ５に移行する。
【００８１】
このように１グループあたりの照明器具ＳＬの消費電力量を求めるのに必要な、前記現在の変数ＹPが、前記ステップＳ７及びステップＳ８の処理を行うことにより求められている。
【００８２】
ステップＳ１４の処理では、前記ステップＳ１１にて得られた消費電力量のうち、消費電力量を演算する対象となるグループGrがオン状態となっている時間について加算する累積加算処理を行い、当該１個の照明器具ＳＬにおける積算消費電力量を得る。すなわち、グループGr1の場合には図５の期間T1、期間T2がオン状態となっている時間となる。
【００８３】
以上のような、制御を行うことにより、照明制御システム１において、一個の照明器具が複数のグループに割り付けられていても、各グループの消費電力量を求めることができる。
【００８４】
例えば、図４及び図５に示す照明器具ＳＬのグループの割り付け構成及び照明器具の動作例の場合、１個の照明器具ＳＬの消費電力をＡ［Ｗ］とすると、上記制御を行うことにより、グループGr１の重複していない照明器具ＳＬの１個あたりの消費電力は、
（１３−８）×Ａ＝５Ａ［Ｗh］となる。
【００８５】
また、グループGr１の重複しているものの照明器具ＳＬの１個あたりの消費電力は、
（１０−８）×Ａ＋（（１３−１０）／２）×Ａ＝３．５Ａ［Ｗh］となる。
【００８６】
また、グループGr２の重複していない照明器具ＳＬの１個あたりの消費電力は、
（１６−１０）×Ａ＝６Ａ［Ｗh］となる。
【００８７】
さらに、グループGr２の重複しているものの照明器具ＳＬの１個あたりの消費電力は、
（（１６−１５）／２）×Ａ＋（１５−１３）×Ａ＋（（１３−１０）／２）×Ａ＝４．５Ａ［Ｗh］となる。
【００８８】
そして、ＣＰＵ２ａは、上述した制御によりグループ内の夫々の照明器具ＳＬの消費電力量を算出して加算することにより、１つのグループGrの各照明器具ＳＬの積算消費電力量を算出する。このように、ＣＰＵ２ａは、他のグループGrの照明器具ＳＬについてもこれと同様に各グループGr毎の照明器具ＳＬの積算消費電力量を算出する。  
これにより、各グループの照明器具ＳＬの正確な積算消費電力量を得ることが可能となる。
【００８９】
なお、本実施形態において、ユーザ毎に積算された各グループの照明器具の積算消費電力量のデータは、ＣＰＵ２ａによって、例えば、一日毎、一週間毎、又は一月毎に積算されたものであるが、必要に応じて適宜設定すれば良い。
【００９０】
また、前記積算消費電力量のデータおよびある時刻における積算消費電力は、ＣＰＵ２ａの制御によって、システムサーバ２のＲＯＭ２ｃ内の割り付け情報テーブル或いはＲＡＭ２ａ内に一旦格納されるが、適宜ユーザのパーソナルコンピュータに出力して表示したり、あるいは必要に応じてユーザＵのパーソナルコンピュータＰによる読み出し制御によって読み出すように構成しても良い。このことにより、常に省エネルギに必要な情報が得られる。
【００９１】
従って、本実施形態によれば、少なくとも一個の照明器具が複数のグループに割り付けられて重複した場合でも、グループ毎の照明器具の消費電力量を正確に求めることができる照明制御システムの実現が可能である。
【００９２】
なお、本実施形態では、複数の照明器具ＳＬを、ネットワーク１１を介してユーザＵのパーソナルコンピュータＰ１による操作によって、複数の照明器具ＳＬをユーザ毎のグループGrに割り付ける照明制御システムについて説明したが、これに限定されるものではなく、単に複数の照明器具ＳＬを各グループGrに割り付けることのできる照明制御システムに対しても適用可能である。
【００９３】
本発明は、上述した実施の形態及び変形例に限定されるものではなく、本発明の要旨を変えない範囲において、種々の変更、改変等が可能である。
【符号の説明】
【００９４】
１…照明制御システム、
２…遠隔監視システムサーバ、
２ａ…ＣＰＵ、
３…ハブ、
４…伝送ライン
５…壁スイッチ、
６…ワイヤレス受信器、
７…ワイヤレス受信器、
８…人感センサ、
９…ワイヤレス送信器、
１０…ワイヤレス送受信器、
１１…ネットワーク、
２０…モニタ、
Ｕ１、Ｕ２…ユーザ、
Ｏ…照明親機、
Ｐ…パーソナルコンピュータ
Ｓ…制御端末器、
ＳＬ…照明器具。
【図１】
2012186078.tif 000003
【図２】
2012186078.tif 000004
【図３】
2012186078.tif 000005
【図４】
2012186078.tif 000006
【図５】
2012186078.tif 000007
【図６】
2012186078.tif 000008